(57)【要約】【課題】本発明は自然で容易な操作で音声を保存するとともにこれを聴くことが可能なメッセージボトルを提供することにある。【解決手段】  ボトルの壁面に、集音マイクとスピーカーが装着されたボイスレコーダーと、電源が、前記壁面の形状に合わせて設けられたメッセージボトルで、外見上は普通の瓶と変わらないものの、音声の記録・再生が可能で、音声の再生スイッチが前記ボトルの傾きを検知して自動再生する傾斜スイッチであることを特徴とする。【選択図】図１
2008256783.tif 000002
【特許請求の範囲】
【請求項１】
ボトルの壁面に、集音マイクとスピーカーが装着された、音声の記録・再生を行うボイスレコーダーと、電源を、前記壁面に設けた窪み（凹）、あるいは、窓に、前記壁面の形状に合わせて設け、前記ボイスレコーダーに記録された音声を再生するための再生スイッチを、前記ボトルの傾きを検知して自動再生する傾斜スイッチとしたこと、を特徴とする、音声の記録・再生が可能なメッセージボトル。
【請求項２】
請求項１に記載のメッセージボトルであって、前記集音マイクとスピーカーが、両者を兼ねる機能を果たす一つの圧電素子であることを特徴とするメッセージボトル。
【請求項３】
請求項１又は２に記載のメッセージボトルであって、前記ボトルの壁面のボイスレコーダー等が組み込まれている部分に、組み込まれた当該レコーダー等を隠すのに十分な大きさのラベルが貼られていることを特徴とするメッセージボトル。
【請求項４】
請求項１〜３のいずれか一に記載のメッセージボトルであって、前記ボトルの外壁及び内壁、もしくはそのいずれかに防水処理が施されていることを特徴とするメッセージボトル。
【発明の詳細な説明】
【技術分野】
【０００１】
本発明は、音声を記録・再生することが出来るメッセージボトルに関する。
【背景技術】
【０００２】
従来のメッセージボトルは、栓つきのボトルとメッセージ用紙からなるもので、メッセージ用紙に筆記具やワードプロセッサーなどでメッセージを記載した上でそれを瓶に入れて栓をし、メッセージを保存するというものである（特許文献１）。
【０００３】
メッセージボトルは、海などに流し見知らぬ人へメッセージを伝えたり、タイムカプセルとして地中などに埋めておき、後世の人へのメッセージを伝えたりすることに利用されているが、メッセージを紙に記載するという方式をとっているため、メッセージを残す上で煩雑さを伴うとともに、感情の微妙なニュアンスを伝えることが難しいなど、保存するメッセージに一定の制限があるという欠点があった。
【０００４】
さらに、メッセージボトルは家人や職場の同僚にちょっとしたことを伝えるためにも活用できるが、上記のようなメッセージを残す上での煩雑さ及びメッセージを取り出して読むことの煩雑さのため、そのような活用方法は一般に普及するには至っていない。
【特許文献１】実用新案登録第３０２１３４１号
【発明の開示】
【発明が解決しようとする課題】
【０００５】
本発明は以上のような従来の欠点に鑑み、残したいメッセージを音声で簡便に保存・再生することができ、肉声により感情の微妙なニュアンスを伝えることも容易にしており、また、外見上は普通のメッセージボトルと変わらない形態でありながら音声を保存できるという意外性から、驚きや楽しさといった感情を使用者に与えるメッセージボトルを提供することを目的としている。
【０００６】
本発明の前記並びにその他の目的と新規な特徴は次の説明を添付図面と照らして読むと、より完全に明らかになるであろう。ただし、図面はもっぱら解説のためのものであって、本発明の記述的範囲を限定するものではない。
【課題を解決するための手段】
【０００７】
上記目的を達成するために、本発明の第1のメッセージボトルは、ボトルと、該ボトルの壁面に該壁面の形状に合わせて設けられた、集音マイク及びスピーカーが装着され、再生スイッチに傾斜センサーが接続されたボイスレコーダー、及び電源により構成している。
【０００８】
また、本発明の第２のメッセージボトルは、前記集音マイクとスピーカーが、両者を兼ねる機能を果たす一つの圧電素子とされている。
【０００９】
さらにまた、本発明の第３のメッセージボトルは、前記ボトルの壁面のボイスレコーダー等が組み込まれている部分に、組み込まれた当該レコーダー等を隠すのに十分な大きさのラベルが貼られていることを特徴とし、本発明のメッセージボトルを外見上普通の瓶と変わらないものとしている。
【００１０】
さらにまた、本発明の第４のメッセージボトルは、前記ボトルの外壁及び内壁、もしくはそのいずれかに防水処理が施されている。
【発明の効果】
【００１１】
本発明の第１のメッセージボトルは、非常に簡便にメッセージを残したり聞いたりすることが出来るとともに、肉声により感情の微妙なニュアンスを伝えることを可能とする。また、普通の瓶の形状でありながら音声を保存できる記録媒体となっており、その形状と機能の絶妙なマッチングにより、意外性からくる驚きや楽しさといった感情を使用者に与えることが出来る。さらに、ボイスレコーダーの再生スイッチが傾斜スイッチとされることにより、メッセージボトルの口を耳の方にもってくるだけで、自然とスイッチが入り音声が再生されるようになっており、再生の操作を格段に容易にするとともに、瓶を傾けるだけで音が聞こえるという意外性から、メッセージボトルが与える驚きや楽しさを一層大きなものとしている。
【００１２】
また、本発明の第２のメッセージボトルは、集音マイクとスピーカーを、録音時にはマイクとして、再生時にはスピーカーをして機能する一つの圧電素子とする。これにより、部品点数を少なくすることができ、また、圧電素子はシート状で柔軟性を持っておりボトル内壁の形状に沿って装着することが可能であることから、本発明のメッセージボトルを外見上普通の瓶と変わらない形態にすることをより容易にする。
【００１３】
さらに、本発明の第３のメッセージボトルは、ボトル壁面のボイスレコーダー等が組み込まれている部分に、組み込まれた当該レコーダー等を隠すのに十分な大きさのラベルが貼られている。これにより、本発明のメッセージボトルは外見上普通の瓶と何ら変わらないものに見えるものとなる。
【００１４】
さらにまた、本発明の第４のメッセージボトルは、外壁及び内壁、もしくはそのいずれかに防水処理が施されている。これにより、メッセージボトルを海や川に流すことが可能となり、また、飲料水等をメッセージボトルに入れることも可能となる。
【発明を実施するための最良の形態】
【００１５】
以下、図面に示す発明を実施するための最良の形態により、本発明を詳細に説明する。
【実施例】
【００１６】
図１は、本発明の１実施例に係るメッセージボトルの斜視図である。図２は、ラベル３を外した状態の、ラベル３の裏側部分のメッセージボトル壁面に組み込まれたボイスレコーダー５及び電池ボックス７の正面図である。図３は、メッセージボトルの断面図であって、ボイスレコーダーの裏側に取り付けられた集音マイク兼スピーカーの機能を持つ圧電素子８の斜視図である。図４は、メッセージボトルの図３におけるＡ−Ａ断面図である。
【００１７】
図１に示すメッセージボトルは、透明なガラス瓶１、栓２、防水加工を施したラベル３、ラベルの裏側に組み込まれたボイスレコーダー５及び電池ボックス７、さらにその裏に取り付けられた圧電素子８、透明な防水フィルム９で構成され、録音ボタン４を備える。栓をとり録音ボタン４を押しながら瓶の口に向かって話すと音声が録音され、音を聴こうと瓶を耳に近づけると、その際に瓶が傾くことにより傾斜センサーが作用して再生スイッチが入り、録音した音声が再生される。
【００１８】
図２に、メッセージボトル壁面に組み込んだ、録音ボタン４及び傾斜センサー６を備えたボイスレコーダー５、及び電池ボックス７を示す。ボトル１には、ボイスレコーダー５及び電池ボックス７を組み込むのに適当な凹部１０が形成されている。本実施例におけるボイスレコーダー５は柔軟性のあるシート状フィルム基板にＩＣレコーダー回路を組んだものを構成要素としており、ラベル３よりも十分に小さい面積で、かつ厚さが瓶の厚さ（通常は５ミリメートル程度）以下となっている。柔軟性のある基板を使用することにより、ボイスレコーダー５を瓶の丸みに合わせて成型することを可能としている。なお、ＩＣレコーダーは部品点数が少なく小型化に適しており、また、印刷技術等を応用した薄型基板製作技術が一般化しており、これらの技術等を用いた超小型のＩＣレコーダーとして、例えば、厚さ０．７５ミリメートルのハガキ状ＩＣレコーダーが製品化されている。
【００１９】
録音ボタン４は、押している間は録音できる状態になり、押すことを止めると録音を終了するものである。
【００２０】
傾斜センサー６は、メッセージボトルを立てて置いているとき、即ち重力方向に向いているときは絶縁状態にあり、傾斜すると通電する。これがボイスレコーダーの再生スイッチに接続されることにより、メッセージボトルが傾いたときに音声が再生されることになる。傾斜センサーとしては様々なものを用いることが出来るが、例えば水銀スイッチのように単純な機構のものが、動作が確実な上に故障の要因を低減することができ望ましい。
【００２１】
電池ボックス７は、アルカリボタン電池ＬＲ１１３０を３個直列につなぐ仕様のものである。ＬＲ１１３０は、直径１１ミリメートル、厚さ３ミリメートルであり、薄く柔軟性のあるシート状フィルムで電池ボックスを作成すれば、この厚さを通常の瓶の厚さである５ミリメートル以下に抑えることが出来るとともに、電池ボックスを組み込む際に瓶の丸みに合わせて組み込むことが可能となる。なお、一般的なボイスレコーダーキットの動作電圧は４．５〜６ボルト程度であることに鑑みれば、これだけの電圧を確保でき、小型・薄型で一般に入手が容易な電源は限られており、現時点においてはＬＲ１１３０が最良と思われるが、現在、シート状の太陽電池、色素増感型電池、有機ラジカル電池といったものが研究開発されており、将来的にはこのような電源を使用することも考えられる。
【００２２】
図３の圧電素子８は集音マイク兼スピーカーの機能を持つ。マイクやスピーカーとしては、コンデンサマイクや小型のダイナミック型スピーカーなどを用いることも考えられるが、実施例においては、シート状であり柔軟性を持つ圧電素子を用いた。また、圧電素子は透明な防水フィルム９で覆われており、メッセージボトルに液体を入れても液体の漏洩や構成要素の損傷を来たさないようになっている。
【００２３】
図４により、本発明のメッセージボトルの構造がより明らかになる。凹部１０の適当な場所に圧電素子８を通すのに十分な横幅をもつ窓１１を開け、ボトル内壁に圧電素子８を装着することを可能にするとともに、ボイスレコーダー５と圧電素子８を接続するための配線が出来るようにしている。
【産業上の利用可能性】
【００２４】
上述したように、本発明のメッセージボトルは、従来のメッセージボトルにはない簡便な方法でメッセージを残したり聞いたりすることが出来るとともに、感情の微妙なニュアンスをも伝えることができる。また、何の変哲もない瓶の形態でありながら音声を保存できるという意外性により使用者に驚きや楽しみ与えることができ、メッセージボトルの新たな市場を開拓するものである。さらに、既存のメッセージボトルの使い方とは違って、家庭などでちょっとした伝言を残すような場面にも使用することが出来、この分野でも市場を開拓することが出来ると思われる。
【００２５】
また、本発明のメッセージボトルを商業用飲料水等のボトルとして用い、例えばタレントのメッセージなどを保存しておくことにより、飲料水の販売促進ツールとして活用することも可能である。
【図面の簡単な説明】
【００２６】
【図１】実施例にかかるメッセージボトルの斜視図である。
【図２】メッセージボトルに組み込まれたボイスレコーダー及び電池ボックスの正面図である。
【図３】メッセージボトルの断面図でボイスレコーダー及び電池ボックスが組み込まれた部分の裏側に付けられた圧電素子の斜視図である。
【図４】メッセージボトルの図３におけるＡ−Ａ断面図である。
【符号の説明】
【００２７】
１    ガラス瓶
２    栓
３    ラベル
４    録音ボタン
５    ボイスレコーダー
６    傾斜センサー
７    電池ボックス
８    圧電素子
９    防水フィルム
１０  凹部
１１  窓
【図１】
2008256783.tif 000003
【図２】
2008256783.tif 000004
【図３】
2008256783.tif 000005
【図４】
2008256783.tif 000006